(57)【要約】【課題】警備対象の施設のセキュリティを確保しつつ、派遣された警備員による作業を迅速化すること。【解決手段】施設１０内部にある、複数の施錠された警備対象区域５０のいずれかにおいて異常を検知した場合には、警備センタ６０は、派遣される警備員のＩＤデータを含むキーレス認証要求を警備制御装置２０に送信する。このキーレス認証要求に示されたＩＤデータと、警備員の社員カードから読み取ったＩＤデータとを比較して、施設１０の監視モード解除、ゲート装置３０の解錠制御、警備対象区域５０の鍵を収納した鍵管理装置４０の解錠制御を行う。したがって、警備員は、施設１０に入るための鍵や鍵管理装置４０を解錠するための鍵を携行する必要がなく、迅速に作業を開始することができる。また、施設１０に派遣された特定の警備員のみ監視モードの解除を行うことができるので、施設１０のセキュリティを確保することができる。【選択図】図１
2015052959.tif 000002
【特許請求の範囲】
【請求項１】
所定の施設に設置された警備制御装置が前記施設の状況を示す情報を取得し、取得した情報により前記所定の施設における異常を検知する警備システムであって、
前記所定の施設における異常を検知した場合に、当該施設に対する警備員の派遣を要請する派遣要請手段と、
前記派遣要請手段による要請に応じて派遣される警備員について、当該警備員が携行する記憶媒体の識別情報を特定して前記警備制御装置に通知する識別情報通知手段と、
前記所定の施設に設置され、前記記憶媒体の識別情報を読取り可能な読取り手段と、
前記読取り手段により読み取った識別情報と前記識別情報通知手段により通知された識別情報とが一致することを条件に、前記所定の施設に対する警備状態を変更する警備状態変更手段と
を備えたことを特徴とする警備システム。
【請求項２】
前記警備状態変更手段は、前記読取り手段により読み取った識別情報と前記識別情報通知手段により前記警備制御装置に通知された識別情報とが一致した場合に、前記所定の施設における異常の検知を行う監視モードを変更することを特徴とする請求項１に記載の警備システム。
【請求項３】
前記警備状態変更手段は、前記読取り手段により読み取った識別情報と前記識別情報通知手段により前記警備制御装置に通知された識別情報とが一致した場合に、前記所定の施設の出入口を施解錠制御することを特徴とする請求項１又は２に記載の警備システム。
【請求項４】
前記所定の施設内に設けられ、前記記憶媒体の識別情報の読取り機能を有し、前記所定の施設の内部で使用するための鍵を収納する鍵収納装置をさらに備え、
前記鍵収納装置は、前記記憶媒体から読み取った識別情報と前記識別情報通知手段により前記警備制御装置に通知された識別情報とが一致した場合に、前記鍵を収納する収納部を施解錠制御することを特徴とする請求項１、２又は３に記載の警備システム。
【請求項５】
前記鍵収納装置は、前記読取り手段により読み取った識別情報と前記識別情報通知手段により前記警備制御装置に通知された識別情報とが一致したことにより前記所定の施設の出入口の解錠制御が行われ、かつ、前記記憶媒体から読み取った識別情報と前記識別情報通知手段により前記警備制御装置に通知された識別情報とが一致した場合に、前記鍵を収納する収納部を解錠制御することを特徴とする請求項４に記載の警備システム。
【請求項６】
前記識別情報通知手段は、前記派遣要請手段による要請に応じて前記警備員が派遣された後、追加して警備員が派遣される場合に、当該追加して派遣される警備員が携行する記憶媒体の識別情報を追加識別情報として前記警備制御装置に通知し、
前記警備状態変更手段は、前記読取り手段により読み取った識別情報と前記識別情報通知手段により通知された追加識別情報とが一致した場合にも前記所定の施設に対する警備状態を変更可能とする
ことを特徴とする請求項１〜５のいずれか一つに記載の警備システム。
【請求項７】
前記識別情報通知手段は、前記派遣要請手段による要請に応じて派遣される警備員が携行する記憶媒体の識別情報に対し、有効期限を設定して前記警備制御装置に通知し、
前記警備状態変更手段は、前記有効期限の範囲内である識別情報が前記読取り手段により読み取った識別情報と一致することを条件に、前記所定の施設に対する警備状態を変更可能とする
ことを特徴とする請求項１〜６のいずれか一つに記載の警備システム。
【請求項８】
所定の施設に設置された警備制御装置が前記施設の状況を示す情報を取得し、取得した情報により前記所定の施設における異常を検知する警備方法であって、
前記所定の施設における異常を検知した場合に、当該施設に対する警備員の派遣を要請する派遣要請ステップと、
前記派遣要請ステップによる要請に応じて派遣される警備員について、当該警備員が携行する記憶媒体の識別情報を特定して前記警備制御装置に通知する識別情報通知ステップと、
前記所定の施設に設置された読取り部により前記記憶媒体の識別情報を読み取る読取りステップと、
前記読取りステップにより読み取った識別情報と前記識別情報通知ステップにより通知された識別情報とが一致することを条件に、前記所定の施設に対する警備状態を変更する警備状態変更ステップと
を含んだことを特徴とする警備方法。
【発明の詳細な説明】
【技術分野】
【０００１】
この発明は、警備制御装置が施設の状況を示す情報を取得し、取得した情報により異常を検知する警備システム及び警備方法に関する。
【背景技術】
【０００２】
従来、店舗、事務所、テナントビル、マンション、住宅などの警備対象の施設に警備制御装置を設け、警備制御装置が施設の状況を示す情報を取得して異常を検知し、異常の検知結果を警備センタに通報する警備システムが知られている。
【０００３】
例えば、特許文献１には、異常の検知を行う状態と、異常の検知を行わない状態とを切り替え可能とし、警備制御装置が外部と通信する際には異常の検知を行う状態であるか否かに応じた通信を行うことで、異常の検知を行う状態において警備に関する処理が滞ることを防止する警備システムが開示されている。
【０００４】
このような警備システムにより警備対象の施設における異常を検知した場合には、警備センタから警備会社の事務所に通知を行って、警備員を警備対象の施設に派遣する。派遣された警備員は、施設の状況を確認し、必要な作業を実施するなどの対処を行うこととなる。
【先行技術文献】
【特許文献】
【０００５】
【特許文献１】特開２０１１−２１５９１０号公報
【発明の概要】
【発明が解決しようとする課題】
【０００６】
しかしながら、上述した従来技術では、派遣された警備員による作業の迅速化とセキュリティの確保とを両立することが困難な場合があるという問題点があった。例えば、派遣された警備員が派遣先の施設の内部に入って状況確認や作業を行う際には、当該警備員を不審者として誤検知することを防ぐため、施設に対する監視を解除する必要があるが、当該施設の鍵は警備会社の事務所で管理されているため、当該警備員は、まず警備会社の事務所で当該施設の鍵を受領してから、当該施設へ向かう必要があった。しかし、警備員の到着までに時間を要すると当該施設のセキュリティが低下するため、警備員が、当該施設の鍵の受領のために現在の居場所から警備会社の事務所へ向かうことなく、直接当該施設へ向かい、当該施設の監視を解除して、内部の状況を確認できるようにすることが求められる。また、警備員であれば誰でも監視の解除ができることとすれば、やはりセキュリティの低下を招くため、監視の解除などの操作が可能な警備員は最小限に留めることが求められる。
【０００７】
さらに、テナントビルなど、警備対象の施設内に施錠管理された複数の警備対象区域がある場合には、この警備対象区域の施解錠に用いる物理的な鍵を収納するため、鍵管理装置を施設内部に設置するケースがあるが、かかるケースでは警備対象区域の鍵を取り出す際に鍵管理装置自体の解錠が必要となる。鍵管理装置の鍵は、警備会社の事務所で管理されており、警備対象区域への作業が必要な異常が発生した場合には、警備員が事務所から鍵管理装置の鍵を携行することになる。したがって、当該警備対象区域へ派遣される警備員は、当該鍵を受領するために現在の居場所から当該事務所へ向かう必要があり、当該警備対象区域に到着するまでに時間を要し、当該警備対象区域のセキュリティが低下するおそれがある。また、鍵管理装置の鍵を警備会社の事務所で管理していると、警備員の不正な鍵の持ち出しや、鍵紛失のリスクによってセキュリティの低下が懸念される。
【０００８】
また、警備対象の施設が住宅である場合には、派遣された警備員は敷地内までは入れるものの、住宅の内部に入るためには別途住宅の鍵を預かる必要があった。このため、住宅の鍵を預かっておらず、住宅内で重大な異常が発生した場合には、内部の確認を行うことができなかった。
【０００９】
これらのことから、警備対象の施設のセキュリティを確保しつつ、派遣された警備員による作業を迅速に開始できる警備システムを如何にして実現するかが重要な課題となっている。
【００１０】
本発明は、上記従来技術の課題を解決するためになされたものであって、警備対象の施設のセキュリティを確保しつつ、派遣された警備員による作業を迅速化することのできる警備システム及び警備方法を提供することを目的とする。
【課題を解決するための手段】
【００１１】
上述した課題を解決し、目的を達成するため、請求項１に記載の発明は、所定の施設に設置された警備制御装置が前記施設の状況を示す情報を取得し、取得した情報により前記所定の施設における異常を検知する警備システムであって、前記所定の施設における異常を検知した場合に、当該施設に対する警備員の派遣を要請する派遣要請手段と、前記派遣要請手段による要請に応じて派遣される警備員について、当該警備員が携行する記憶媒体の識別情報を特定して前記警備制御装置に通知する識別情報通知手段と、前記所定の施設に設置され、前記記憶媒体の識別情報を読み取り可能な読取り手段と、前記読取り手段により読み取った識別情報と前記識別情報通知手段により通知された識別情報とが一致することを条件に、前記所定の施設に対する警備状態を変更する警備状態変更手段とを備えたことを特徴とする。
【００１２】
また、請求項２に記載の発明は、請求項１に記載の発明において、前記警備状態変更手段は、前記読取り手段により読み取った識別情報と前記識別情報通知手段により前記警備制御装置に通知された識別情報とが一致した場合に、前記所定の施設における異常の検知を行う監視モードを変更することを特徴とする。
【００１３】
また、請求項３に記載の発明は、請求項１又は２に記載の発明において、前記警備状態変更手段は、前記読取り手段により読み取った識別情報と前記識別情報通知手段により前記警備制御装置に通知された識別情報とが一致した場合に、前記所定の施設の出入口を施解錠制御することを特徴とする。
【００１４】
また、請求項４に記載の発明は、請求項１、２又は３に記載の発明において、前記所定の施設内に設けられ、前記記憶媒体の識別情報の読取り機能を有し、前記所定の施設の内部で使用するための鍵を収納する鍵収納装置をさらに備え、前記鍵収納装置は、前記記憶媒体から読み取った識別情報と前記識別情報通知手段により前記警備制御装置に通知された識別情報とが一致した場合に、前記鍵を収納する収納部を施解錠制御することを特徴とする。
【００１５】
また、請求項５に記載の発明は、請求項４に記載の発明において、前記鍵収納装置は、前記読取り手段により読み取った識別情報と前記識別情報通知手段により前記警備制御装置に通知された識別情報とが一致したことにより前記所定の施設の出入口の解錠制御が行われ、かつ、前記記憶媒体から読み取った識別情報と前記識別情報通知手段により前記警備制御装置に通知された識別情報とが一致した場合に、前記鍵を収納する収納部を解錠制御することを特徴とする。
【００１６】
また、請求項６に記載の発明は、請求項１〜５のいずれか一つに記載の発明において、前記識別情報通知手段は、前記派遣要請手段による要請に応じて前記警備員が派遣された後、追加して警備員が派遣される場合に、当該追加して派遣される警備員が携行する記憶媒体の識別情報を追加識別情報として前記警備制御装置に通知し、前記警備状態変更手段は、前記読取り手段により読み取った識別情報と前記識別情報通知手段により通知された追加識別情報とが一致した場合にも前記所定の施設に対する警備状態を変更可能とすることを特徴とする。
【００１７】
また、請求項７に記載の発明は、請求項１〜６のいずれか一つに記載の発明において、前記識別情報通知手段は、前記派遣要請手段による要請に応じて派遣される警備員が携行する記憶媒体の識別情報に対し、有効期限を設定して前記警備制御装置に通知し、前記警備状態変更手段は、前記有効期限の範囲内である識別情報が前記読取り手段により読み取った識別情報と一致することを条件に、前記所定の施設に対する警備状態を変更可能とすることを特徴とする。
【００１８】
また、請求項８に記載の発明は、所定の施設に設置された警備制御装置が前記施設の状況を示す情報を取得し、取得した情報により前記所定の施設における異常を検知する警備方法であって、前記所定の施設における異常を検知した場合に、当該施設に対する警備員の派遣を要請する派遣要請ステップと、前記派遣要請ステップによる要請に応じて派遣される警備員について、当該警備員が携行する記憶媒体の識別情報を特定して前記警備制御装置に通知する識別情報通知ステップと、前記所定の施設に設置された読取り部により前記記憶媒体の識別情報を読み取る読取りステップと、前記読取りステップにより読み取った識別情報と前記識別情報通知ステップにより通知された識別情報とが一致することを条件に、前記所定の施設に対する警備状態を変更する警備状態変更ステップとを含んだことを特徴とする。
【発明の効果】
【００１９】
本発明によれば、所定の施設における異常を検知した場合に、当該施設に対する警備員の派遣を要請するとともに、要請に応じて派遣される警備員が携行する記憶媒体の識別情報を特定して警備制御装置に通知し、所定の施設に設置された手段により読み取った識別情報と通知された識別情報とが一致することを条件に、所定の施設に対する警備状態を変更するよう構成したので、警備対象の施設のセキュリティを確保しつつ、派遣された警備員による作業を迅速化することができる。
【図面の簡単な説明】
【００２０】
【図１】図１は、実施例１に係る警備の概念を説明するための説明図である。
【図２】図２は、鍵管理装置の外観構成を説明するための説明図である。
【図３】図３は、図２に示した鍵管理装置の内部構成を示すブロック図である。
【図４】図４は、図１に示したゲート装置の内部構成を示すブロック図である。
【図５】図５は、図１に示した警備制御装置の内部構成を示すブロック図である。
【図６】図６は、図１に示した警備センタの内部構成を示すブロック図である。
【図７】図７は、警備制御装置の処理動作を示すフローチャートである。
【図８】図８は、ゲート装置の処理動作を示すフローチャートである。
【図９】図９は、実施例２に係る警備システムを説明するための説明図である。
【図１０】図１０は、図９に示した警備制御装置の内部構成を示すブロック図である。
【発明を実施するための形態】
【００２１】
以下に、添付図面を参照して、本発明に係る警備システム及び警備方法の好適な実施例を詳細に説明する。
【実施例１】
【００２２】
まず、本実施例１に係る警備の概念について説明する。図１は、実施例１に係る警備の概念を説明するための説明図である。図１に示すように、警備対象の施設１０には、複数の警備対象区域５０と、警備制御装置２０と、ゲート装置３０と、鍵管理装置４０とが設けられている。また、警備制御装置２０は、施設外の警備センタ６０と通信可能である。警備センタ６０は、警備員が待機する警備事務所７０とさらに通信可能である。
【００２３】
複数の警備対象区域５０には、異常を検知するセンサが設けられている。このセンサは、異常を検知した場合には、警備制御装置２０に異常通知を送信する（１）。警備制御装置２０は、施設１０に対する監視を行うか否かを、自装置の動作モードを監視モードにセットするか否かで切り替え可能である。警備制御装置２０は、監視モードにセットされた状態で複数の警備対象区域５０のいずれかから異常通知を受信した場合に、警備センタ６０に対して異常通知を送信する（２）。
【００２４】
警備センタ６０は、施設１０から異常通知を受信したならば、警備事務所７０に警備員の派遣を要請する（３）。このとき、派遣される警備員について、その警備員が携行する社員カードの識別情報（以下、ＩＤデータという）を特定し、当該ＩＤデータを含むキーレス認証要求を警備制御装置２０に送信する（４）。キーレス認証要求は、派遣された警備員が社員カードを鍵の代わりに使用して、警備制御装置２０の監視モードの解除やセット、ゲート装置３０や鍵管理装置４０の施解錠制御を行えるようにするためのものである。
【００２５】
警備制御装置２０は、警備センタ６０からキーレス認証要求を受信したならば、キーレス認証要求に示されたＩＤデータ（以下、キーレス許可データという）を自装置に格納する。また、警備制御装置２０は、受信したキーレス認証要求をゲート装置３０に送信する（５）。同様に、警備制御装置２０は、受信したキーレス認証要求を鍵管理装置４０に送信する（６）。ゲート装置３０及び鍵管理装置４０は、キーレス認証要求を受信したならば、それぞれキーレス認証要求に示されたキーレス許可データを自装置に格納する。
【００２６】
一方、警備センタ６０より要請を受けた警備事務所７０からは、警備員が派遣される（７）。警備員は、派遣先の施設１０に到着すると、ゲート装置３０に自身の社員カードを読み取らせる。ゲート装置３０は、読み取ったＩＤデータと、キーレス許可データとが一致したならば、施設１０の出入口を解錠制御する（８）。これにより、警備員は、自身の社員カードを鍵として用いて施設１０の内部に入ることができる。
【００２７】
加えて、ゲート装置３０は、読み取ったＩＤデータと、キーレス許可データとが一致したならば、警備制御装置２０に対して監視モード解除要求を送信する。警備制御装置２０は、ゲート装置３０から監視モード解除要求を受信した場合に監視モードを解除し、監視モードが解除されたことを示す監視モード解除通知を警備センタ６０へ送信する。このため、警備員が施設１０の内部に入ったり、作業を行ったとしても、警備制御装置２０が警備センタ６０に異常通知を行うなどの警報を発することはない。
【００２８】
警備員は、施設１０の内部に入ると、鍵管理装置４０に自身の社員カードを読み取らせる。鍵管理装置４０は、読み取ったＩＤデータと、キーレス許可データとが一致したならば、自装置の扉を解錠制御する（９）。これにより、警備員は、自身の社員カードを鍵として用い、鍵管理装置４０の内部から警備対象区域５０の鍵を取り出すことができる。
【００２９】
警備員は、鍵管理装置４０から取り出した鍵を用い、異常が検知された警備対象区域５０の出入口を解錠し、状況確認や必要な作業を実施する（１０）。警備員が確認や作業を完了したら、（８）から（１０）の逆の手順で、警備対象区域５０の出入口を施錠し、鍵管理装置４０へ鍵を返却し、鍵管理装置４０の扉を閉じて施錠し、ゲート装置３０に警備員の社員カードを読み取らせて施設１０の出入口を施錠する。施錠の後、ゲート装置３０は警備制御装置２０に監視モードセット要求を送信する。警備制御装置２０は、ゲート装置３０から監視モードセット要求を受信すると、監視モードをセットし、監視モードにセットされたことを示す監視モードセット通知を警備センタ６０へ送信する。警備センタ６０は、警備制御装置２０から監視モードセット通知を受信し、警備員が施設１０での状況確認や作業を完了したことが確認できた場合は、キーレス許可データの削除要求を警備制御装置２０へ送信する。警備制御装置２０は、警備センタ６０からキーレス許可データの削除要求を受信すると、自装置に格納している当該キーレス許可データを削除し、さらにゲート装置３０及び鍵管理装置４０へ、受信したキーレス許可データの削除要求を送信する。ゲート装置３０及び鍵管理装置４０は、警備制御装置２０から、キーレス許可データの削除要求を受信すると、それぞれ自装置に格納している当該キーレス許可データを削除する。
【００３０】
このように、警備対象区域５０の異常を検知した場合には、派遣される警備員のＩＤデータを含むキーレス認証要求を警備制御装置２０に送信する。そして、このキーレス認証要求に示されたキーレス許可データと、警備員の社員カードから読み取ったＩＤデータとを比較して、施設１０の監視モード解除やセット、ゲート装置３０の施解錠制御、警備対象区域５０の鍵を収納した鍵管理装置４０の施解錠制御を行う。したがって、警備員は、施設１０に入るための鍵や鍵管理装置４０を解錠するための鍵を携行する必要がなく、迅速に作業を開始することができる。また、特定の警備員に限定して施設１０の監視モードの解除を行うことができるので、施設１０のセキュリティを確保することができる。
【００３１】
次に、鍵管理装置４０の外観構成について説明する。図２は、鍵管理装置４０の外観構成を説明するための説明図である。図２に示すように、鍵管理装置４０は、その前面にカードリーダ４１及び外扉４２を有する。外扉４２は電気錠により施解錠可能であり、カードリーダ４１により社員カードから読み取ったＩＤデータが事前にキーレス認証要求により示されたキーレス許可データと一致した場合に解錠制御される。
【００３２】
外扉４２が解錠された状態で外扉４２を開くと、その内部に設けられた複数の内扉４３が露出される。複数の内扉４３は、個別に電気錠により施解錠可能であり、その内部には鍵を収納する鍵収納部４４が設けられている。
【００３３】
次に、鍵管理装置４０の内部構成について説明する。図３は、図２に示した鍵管理装置４０の内部構成を示すブロック図である。図３に示すように、鍵管理装置４０は、カードリーダ４１と、外扉ロック機構４２ａと、複数の内扉ロック機構４３ａと、複数の鍵収納部４４と、通信部４５と、制御部４６と、記憶部４７とを有する。
【００３４】
カードリーダ４１は、警備員の社員カードからＩＤデータを読み取る装置である。外扉ロック機構４２ａは、制御部４６からの指示に応じて外扉４２の施錠と解錠とを行う機構である。複数の内扉ロック機構４３ａは、複数の鍵収納部４４に対応して設けられており、制御部４６からの指示に応じて内扉４３の施錠と解錠とを行う機構である。
【００３５】
通信部４５は、警備制御装置２０との間のデータ通信を行うためのインタフェース部である。記憶部４７は、ハードディスク装置や不揮発性メモリ等からなる記憶デバイスである。記憶部４７は、後述するキーレス許可データ２３ｂの格納に用いられる。
【００３６】
制御部４６は、鍵管理装置４０を全体制御する制御部であり、認証処理部４６ａ及びロック制御部４６ｂを有する。認証処理部４６ａは、警備制御装置２０からキーレス認証要求を受信すると、キーレス認証要求に示されたキーレス許可データ２３ｂを記憶部４７に格納する。また、認証処理部４６ａは、警備制御装置２０からキーレス許可データの削除要求を受信した場合に、キーレス許可データ２３ｂを削除する。
【００３７】
認証処理部４６ａは、カードリーダ４１がＩＤデータを読み取った場合に、当該ＩＤデータとキーレス許可データ２３ｂとが一致するか否かを判定する。そして、カードリーダ４１が読み取ったＩＤデータとキーレス許可データ２３ｂとが一致する場合に、ロック制御部４６ｂは、外扉ロック機構４２ａを解錠制御する。
【００３８】
複数の内扉ロック機構４３ａについては、その全てを外扉ロック機構４２ａの解錠制御と同時に解錠制御するように構成してもよい。この場合には、警備員は、外扉４２を開けることによって、複数の鍵収納部４４のうちいずれの鍵収納部４４からでも鍵を取り出すことができる。
【００３９】
また、内扉４３及び内扉ロック機構４３ａを備えずに、外扉ロック機構４２ａのみ解錠制御するように構成してもよい。この場合にも、警備員は、外扉４２を開けることによって、複数の鍵収納部４４のうちいずれの鍵収納部４４からでも鍵を取り出すことができる。
【００４０】
また、異常が生じた警備対象区域５０に対応する鍵だけを取り出し可能とするよう内扉ロック機構４３ａを解錠制御してもよい。この場合には、複数の警備対象区域５０のうち、異常が生じた警備対象区域５０を特定する情報を警備制御装置２０から取得しておき、異常が生じた警備対象区域５０に用いるための鍵を収納した鍵収納部４４を特定し、特定した鍵収納部４４に対応する内扉ロック機能４３ａを選択的に解錠制御する。
【００４１】
また、外扉４２及び外扉ロック機構４２ａを備えずに、内扉ロック機構４３ａのみ解錠制御するように構成してもよい。この場合にも、異常が生じた警備対象区域５０に対応する鍵だけを取り出し可能とすることができる。
【００４２】
一方、解錠された外扉ロック機構４２ａの施錠については、開いた外扉４２を閉じることによって外扉ロック機構４２ａが機械的に自動施錠するように構成してもよいし、あるいは、開いた外扉４２を閉じることによってロック制御部４６ｂが外扉ロック機構４２ａを施錠制御するように構成してもよい。あるいは、開いた外扉４２を閉じたのち、警備員がカードリーダ４１に自身の社員カードを読み取らせ、認証処理部４６ａが、読み取ったＩＤデータとキーレス許可データ２３ｂとが一致すると判定した場合に、ロック制御部４６ｂが外扉ロック機構４２ａを施錠制御するように構成してもよい。
【００４３】
また、解錠された内扉ロック機構４３ａの施錠についても、開いた内扉４３を閉じることによって内扉ロック機構４３ａが機械的に自動施錠するように構成してもよいし、あるいは、開いた内扉４３を閉じることによってロック制御部４６ｂが内扉ロック機構４３ａを施錠制御するように構成してもよい。あるいは、開いた内扉４３を閉じたのち、警備員がカードリーダ４１に自身の社員カードを読み取らせ、認証処理部４６ａが、読み取ったＩＤデータとキーレス許可データ２３ｂとが一致すると判定した場合に、ロック制御部４６ｂが内扉ロック機構４３ａを施錠制御するように構成してもよい。
【００４４】
次に、ゲート装置３０の内部構成について説明する。図４は、図１に示したゲート装置３０の内部構成を示すブロック図である。図４に示すように、ゲート装置３０は、カードリーダ３１と、ゲートロック機構３２と、通信部３３と、制御部３４と、記憶部３５とを有する。
【００４５】
カードリーダ３１は、警備員の社員カードからＩＤデータを読み取る装置である。ゲートロック機構３２は、制御部３４からの指示に応じて施設１０の出入口の施錠と解錠とを行う機構である。
【００４６】
通信部３３は、警備制御装置２０との間のデータ通信を行うためのインタフェース部である。記憶部３５は、ハードディスク装置や不揮発性メモリ等からなる記憶デバイスである。記憶部３５は、後述するキーレス許可データ２３ｂの格納に用いられる。
【００４７】
制御部３４は、ゲート装置３０を全体制御する制御部であり、認証処理部３４ａ及びロック制御部３４ｂを有する。認証処理部３４ａは、警備制御装置２０からキーレス認証要求を受信すると、キーレス認証要求に示されたキーレス許可データ２３ｂを記憶部３５に格納する。また、認証処理部３４ａは、警備制御装置２０からキーレス許可データの削除要求を受信した場合に、キーレス許可データ２３ｂを削除する。
【００４８】
認証処理部３４ａは、カードリーダ３１がＩＤデータを読み取った場合に、当該ＩＤデータとキーレス許可データ２３ｂとが一致するか否かを判定する。そして、カードリーダ３１が読み取ったＩＤデータとキーレス許可データ２３ｂとが一致する場合に、ロック制御部３４ｂは、ゲートロック機構３２を施解錠制御する。また、ロック制御部３４ｂがゲートロック機構３２を解錠制御した場合は監視モード解除要求を、施錠制御した場合は監視モードセット要求を、警備制御装置２０へ送信する。
【００４９】
ここで、ロック制御部３４ｂは、現在のゲートロック機構３２の状態に応じて、解錠状態であれば施錠制御、施錠状態であれば解錠制御を実行する。又は、ゲート装置３０に施錠、解錠のいずれかを選択するスイッチを別途設けて、その選択状態に応じて、ロック制御部３４ｂが解錠制御、又は施錠制御のどちらを実行するかを決定するように構成してもよい。
【００５０】
また、ロック制御部３４ｂは、ゲート装置３０が警備制御装置２０から解錠要求又は施錠要求を受信した場合に、その要求に応じて解錠制御又は施錠制御のいずれかを実行するように構成してもよい。その場合、例えば、ゲート装置３０が、認証処理部３４ａでの認証結果を警備制御装置２０へ送信し、警備制御装置２０がその内容に応じて監視モードのセット又は解除を行い、また警備制御装置２０が監視モードをセットした場合は施錠要求を、監視モードを解除した場合は解錠要求をゲート装置３０へ送信するように構成すればよい。
【００５１】
次に、警備制御装置２０の内部構成について説明する。図５は、図１に示した警備制御装置２０の内部構成を示すブロック図である。図５に示すように、警備制御装置２０は、通信部２１と、制御部２２と、記憶部２３とを有する。
【００５２】
通信部２１は、警備対象区域５０、鍵管理装置４０、ゲート装置３０及び警備センタ６０との間のデータ通信を行うためのインタフェース部である。記憶部２３は、ハードディスク装置や不揮発性メモリ等からなる記憶デバイスである。記憶部２３は、警報履歴データ２３ａ及びキーレス許可データ２３ｂの格納に用いられる。
【００５３】
警報履歴データ２３ａは、警備制御装置２０が発した警報の履歴を示すデータである。キーレス許可データ２３ｂは、警備センタ６０から受信したキーレス認証要求に示されたＩＤデータである。
【００５４】
制御部２２は、警備制御装置２０を全体制御する制御部であり、モード制御部２２ａ、警報処理部２２ｂ及びキーレス認証要求処理部２２ｃを有する。モード制御部２２ａは、警備制御装置２０の動作モードを切り替える制御部である。
【００５５】
具体的には、モード制御部２２ａは、施設１０に対する監視を行う監視モードのセットと解除とを行う。監視モードのセットと解除は、施設１０の管理者が所定の操作により行うことが可能である。また、モード制御部２２ａは、ゲート装置３０から監視モード解除要求を受信した場合には、監視モードを解除する。そして、ゲート装置３０から監視モードセット要求を受信した場合には、監視モードをセットする。
【００５６】
警報処理部２２ｂは、監視モードにセットされた状態で複数の警備対象区域５０のいずれかから異常通知を受信した場合に警報を発する。具体的には、警報処理部２２ｂは、施設１０の所定の連絡先に音声により通知するとともに、警備センタ６０に対して異常通知を送信する。また、警報処理部２２ｂは、警報を発した際には、その内容を警報履歴データ２３ａに追加する。
【００５７】
なお、警報処理部２２ｂは、監視モードが解除された状態では、警備対象区域５０から異常通知を受信したとしても、警報を発さない。このため、例えば派遣された警備員が施設１０に到着し、監視モードを解除すれば、警備対象区域５０に設けたセンサが警備員による作業を検知したとしても、かかる検知により警報が行われることを防ぐことができる。
【００５８】
警報処理部２２ｂが警備センタ６０に対して送信する異常通知には、施設１０を特定する情報と、異常通知を警備制御装置２０に送信した警備対象区域５０を特定する情報と、当該警備対象区域５０から受信した異常通知の内容とを含む。
【００５９】
キーレス認証要求処理部２２ｃは、警備センタ６０からキーレス認証要求を受信すると、キーレス認証要求に示されたキーレス許可データ２３ｂを記憶部２３に格納する。そして、キーレス認証要求処理部２２ｃは、キーレス許可データ２３ｂを含むキーレス認証要求を鍵管理装置４０及びゲート装置３０に送信する。
【００６０】
また、キーレス認証要求処理部２２ｃは、警備センタ６０からキーレス許可データの削除要求を受信すると、記憶部２３のキーレス許可データ２３ｂを削除し、キーレス許可データの削除要求を鍵管理装置４０及びゲート装置３０に送信する。
【００６１】
次に、警備センタ６０の内部構成について説明する。図６は、図１に示した警備センタ６０の内部構成を示すブロック図である。図６に示すように、警備センタ６０は、通信部６１と、制御部６２と、記憶部６３とを有する。
【００６２】
通信部６１は、警備制御装置２０及び警備事務所７０との間のデータ通信を行うためのインタフェース部である。記憶部６３は、ハードディスク装置や不揮発性メモリ等からなる記憶デバイスである。記憶部６３は、警備管理データ６３ａの格納に用いられる。
【００６３】
警備管理データ６３ａは、施設１０を含む警備対象に対する警備を管理するためのデータである。具体的には、警備管理データ６３ａは、各警備対象について警備員の派遣元となる警備事務所を対応付けるとともに、各警備事務所と警備員の勤務状況とを対応付けている。ここで、警備員については、そのＩＤデータについても対応付けておく。また、警備管理データ６３ａは、各警備対象の状態、すなわち、異常が発生しているか否か、警備員が派遣されているか否か、派遣された警備員による作業は完了したか否か等を管理する。
【００６４】
制御部６２は、警備センタ６０を全体制御する制御部であり、警報受付部６２ａ、派遣要請部６２ｂ及びキーレス認証要求部６２ｃを有する。警報受付部６２ａは、施設１０を含む警備対象からの異常通知を受け付ける処理部である。警報受付部６２ａは、受信した異常通知により、警備管理データ６３ａにおける各警備対象の状態を更新する。また、監視モードセット通知や監視モード解除通知など、警備対象の施設の状態変化を示す通知を受信した場合には、受信した通知により警備管理データ６３ａを更新する。
【００６５】
警報受付部６２ａが異常通知を受け付けると、派遣要請部６２ｂは、警備管理データ６３ａを参照し、異常通知の送信元に対応する警備事務所７０を特定し、特定した警備事務所７０に対して警備員の派遣を要請する。さらに、キーレス認証要求部６２ｃは、派遣される警備員について、その警備員のＩＤデータを特定し、当該ＩＤデータをキーレス許可データとして含むキーレス認証要求を異常通知の送信元に送信する。その後、キーレス認証要求の送信先から監視モードセット通知を受信し、派遣された警備員が異常通知の送信元における状況確認や作業を完了したことが確認できた場合には、キーレス認証要求部６２ｃは、キーレス認証要求の送信先へ、キーレス許可データの削除要求を送信する。
【００６６】
次に、警備制御装置２０の処理動作について説明する。図７は、警備制御装置２０の処理動作を示すフローチャートである。図７に示すように、まず、警報処理部２２ｂは、複数の警備対象区域５０のいずれかから異常通知を受信したか否かを判定する（ステップＳ１０１）。
【００６７】
複数の警備対象区域５０のいずれかから異常通知を受信したならば（ステップＳ１０１；Ｙｅｓ）、警報処理部２２ｂは、監視モードにセットされているか否かを判定する（ステップＳ１０２）。そして、監視モードがセットされていれば（ステップＳ１０２；Ｙｅｓ）、警報処理部２２ｂは警報を発する（ステップＳ１０３）。具体的には、警報処理部２２ｂは、施設１０の所定の連絡先に音声により通知するとともに、警備センタ６０に対して異常通知を送信する。また、警報処理部２２ｂは、警報を発した際には、その内容を警報履歴データ２３ａに追加する。
【００６８】
警報処理の後、キーレス認証要求処理部２２ｃは、警備センタ６０からキーレス認証要求を受信したか否かを判定し（ステップＳ１０４）、キーレス認証要求を受信していなければ（ステップＳ１０４；Ｎｏ）、ステップＳ１０４に移行して、キーレス認証要求の受信を待機する。
【００６９】
警備センタ６０からキーレス認証要求を受信したならば（ステップＳ１０４；Ｙｅｓ）、キーレス認証要求処理部２２ｃは、キーレス認証要求に示されたＩＤデータをキーレス許可データ２３ｂとして記憶部２３に格納する（ステップＳ１０５）。そして、キーレス認証要求処理部２２ｃは、キーレス許可データ２３ｂを含むキーレス認証要求をゲート装置３０及び鍵管理装置４０に送信する（ステップＳ１０６）。
【００７０】
ステップＳ１０６の後、モード制御部２２ａは、ゲート装置３０から監視モード解除要求を受信したか否かを判定する（ステップＳ１０７）。監視モード解除要求を受信していなければ（ステップＳ１０７；Ｎｏ）、ステップＳ１０７に移行して、監視モード解除要求の受信を待機する。
【００７１】
ゲート装置３０から監視モード解除要求を受信したならば（ステップＳ１０７；Ｙｅｓ）、モード制御部２２ａは、監視モードを解除する（ステップＳ１０８）。その後、モード制御部２２ａは、監視モードセット要求を受信したか否かを判定する（ステップＳ１０９）。監視モードセット要求を受信していなければ（ステップＳ１０９；Ｎｏ）、ステップＳ１０９に移行して、監視モードセット要求の受信を待機する。
【００７２】
監視モードのセット要求を受信したならば（ステップＳ１０９；Ｙｅｓ）、モード制御部２２ａは、監視モードをセットする（ステップＳ１１０）。その後、キーレス認証要求処理部２２ｃは、警備センタ６０からキーレス許可データの削除要求を受信したか否かを判定し（ステップＳ１１１）、キーレス許可データの削除要求を受信していなければ（ステップＳ１１１；Ｎｏ）、ステップＳ１１１に移行して、キーレス許可データの削除要求の受信を待機する。そして、警備センタ６０からキーレス許可データの削除要求を受信したならば（ステップＳ１１１；Ｙｅｓ）、キーレス認証要求処理部２２ｃが作業完了処理を行って（ステップＳ１１２）、処理を終了する。この作業完了処理では、記憶部２３のキーレス許可データ２３ｂの削除と、キーレス許可データの削除要求の鍵管理装置４０及びゲート装置３０への送信とが行われる。なお、警備対象区域５０から異常通知を受信していない場合（ステップＳ１０１；Ｎｏ）と、監視モードにセットされていない場合（ステップＳ１０２；Ｎｏ）には、そのまま処理を終了する。
【００７３】
次に、ゲート装置３０の処理動作について説明する。図８は、ゲート装置３０の処理動作を示すフローチャートである。図８に示すように、まず、認証処理部３４ａは、警備制御装置２０からキーレス認証要求を受信したか否かを判定する（ステップＳ２０１）。キーレス認証要求を受信していなければ（ステップＳ２０１；Ｎｏ）、ステップＳ２０１に移行して、キーレス認証要求の受信を待機する。
【００７４】
認証処理部３４ａは、警備制御装置２０からキーレス認証要求を受信すると（ステップＳ２０１；Ｙｅｓ）、キーレス認証要求に示されたＩＤデータをキーレス許可データ２３ｂとして記憶部３５に格納する（ステップＳ２０２）。
【００７５】
ステップＳ２０２の後、認証処理部３４ａは、カードリーダ３１がＩＤデータを読み取ったか否かを判定する（ステップＳ２０３）。カードリーダ３１がＩＤデータを読み取ったならば（ステップＳ２０３；Ｙｅｓ）、認証処理部３４ａは、カードリーダ３１が読み取ったＩＤデータとキーレス許可データ２３ｂとが一致するか否かを判定する（ステップＳ２０４）。
【００７６】
カードリーダ３１が読み取ったＩＤデータとキーレス許可データ２３ｂとが一致したならば（ステップＳ２０４；Ｙｅｓ）、認証処理部３４ａは、現在の監視モードがセット状態か解除状態かを確認する（ステップＳ２０５）。現在の監視モードがセット状態であれば（ステップＳ２０５；Ｙｅｓ）、認証処理部３４ａは、監視モード解除要求を警備制御装置２０に送信する（ステップＳ２０６）。その後、ロック制御部３４ｂは、ゲートロック機構３２を解錠制御する（ステップＳ２０７）。一方、現在の監視モードが解除状態であれば（ステップＳ２０５；Ｎｏ）、認証処理部３４ａは、監視モードセット要求を警備制御装置２０に送信する（ステップＳ２０８）。その後、ロック制御部３４ｂは、ゲートロック機構３２を施錠制御する（ステップＳ２０９）。
【００７７】
ステップＳ２０７の後、又はステップＳ２０９の後、又はカードリーダ３１がＩＤデータを読み取っていない場合（ステップＳ２０３；Ｎｏ）、又はカードリーダ３１が読み取ったＩＤデータとキーレス許可データ２３ｂとが一致しない場合（ステップＳ２０４；Ｎｏ）、認証処理部３４ａは、警備制御装置２０からキーレス許可データの削除要求を受信したか否かを判定する（ステップＳ２１０）。
【００７８】
キーレス許可データの削除要求を受信していなければ（ステップＳ２１０；Ｎｏ）、ステップＳ２０３に移行する。一方、キーレス許可データの削除要求を受信したならば（ステップＳ２１０；Ｙｅｓ）、認証処理部３４ａは、記憶部３５からキーレス許可データ２３ｂを削除して（ステップＳ２１１）、処理を終了する。
【００７９】
鍵管理装置４０の処理動作は、図８に示したゲート装置３０の処理動作と同様であるので、図示及び説明を省略する。
【００８０】
上述してきたように、本実施例１に係る警備システムでは、警備対象区域５０の異常を検知した場合には、派遣される警備員のＩＤデータを含むキーレス認証要求を警備制御装置２０に送信する。そして、このキーレス認証要求に示されたＩＤデータと、警備員の社員カードから読み取ったＩＤデータとを比較して、施設１０の監視モード解除、ゲート装置３０の解錠制御、警備対象区域５０の鍵を収納した鍵管理装置４０の解錠制御を行う。したがって、警備員は、施設１０に入るための鍵や鍵管理装置４０を解錠するための鍵を携行する必要がなく、迅速に作業を開始することができる。また、特定の警備員が施設１０に居る場合に限定して監視モードの解除を行うので、施設１０のセキュリティを確保することができる。
【００８１】
また、鍵管理装置４０の鍵を警備事務所７０で管理する必要がないため、警備員が施設１０での作業を迅速に開始でき、また警備員の不正な鍵の持ち出しや、鍵紛失を防ぐことができ、セキュリティの向上を実現することが可能である。
【実施例２】
【００８２】
上記実施例１では、テナントビル等の施設１０における警備を例に説明を行ったが、本実施例２では、住宅の警備を例に説明を行う。図９は、実施例２に係る警備システムを説明するための説明図である。
【００８３】
図９に示すように、住宅の敷地に入るための門にはゲート装置１３０が設けられ、住宅の出入口であるドアにはドア装置１４０が設けられている。ゲート装置１３０は、警備制御装置１２０に接続され、門の開閉検知と、施解錠が可能である。同様にドア装置１４０は、警備制御装置１２０に接続され、ドアの開閉検知と、施解錠が可能である。
【００８４】
また、住宅の窓等にはセンサ１５０が設けられている。センサ１５０は警備制御装置１２０に接続され、窓の開閉や振動などを検知して警備制御装置１２０に出力する。そして、警備制御装置１２０は、警備センタ１６０と通信可能である。
【００８５】
警備制御装置１２０は、住宅に対する監視を行うか否かを、自装置の動作モードを監視モードにセットするか否かで切り替え可能である。警備制御装置１２０は、監視モードにセットされた状態で、ゲート装置１３０が門の開閉を検知した場合、ドア装置１４０がドアの開閉を検知した場合、若しくはセンサ１５０により窓等の開閉や振動などを検知した場合には、警備センタ１６０に対して異常通知を送信する。
【００８６】
警備センタ１６０は、警備対象である住宅から異常通知を受信したならば、図示しない警備事務所に警備員の派遣を要請する。このとき、派遣される警備員について、その警備員が携行する社員カードのＩＤデータを特定し、当該ＩＤデータをキーレス許可データとして含むキーレス認証要求を警備制御装置１２０に送信する。このキーレス認証要求により、派遣された警備員は、社員カードを鍵の代わりに使用してゲート装置１３０やドア装置１４０の施解錠制御を行うことができる。
【００８７】
警備制御装置１２０は、警備センタ１６０からキーレス認証要求を受信したならば、キーレス認証要求に示されたキーレス許可データを自装置に格納する。また、警備制御装置１２０は、受信したキーレス認証要求をゲート装置１３０及びドア装置１４０に送信する。
【００８８】
警備センタ１６０より要請を受けた警備事務所からは、警備員が派遣される。警備員は、派遣先の住宅に到着すると、ゲート装置１３０に自身の社員カードを読み取らせる。ゲート装置１３０は、読み取ったＩＤデータと、キーレス認証要求に示されたキーレス許可データとが一致したならば、門を解錠制御する。これにより、警備員は、自身の社員カードを鍵として用いて住宅の敷地内に入ることができる。
【００８９】
加えて、ゲート装置１３０は、読み取ったＩＤデータと、キーレス許可データとが一致したならば、警備制御装置１２０に対して監視モード解除要求を送信する。警備制御装置１２０は、ゲート装置１３０から監視モード解除要求を受信した場合に監視モードを解除し、警備センタ１６０へ監視モード解除通知を送信する。このため、警備員が住宅の敷地内に入ったり、作業を行ったとしても、警備制御装置１２０が警備センタ１６０に異常通知を行うなどの警報を発することはない。
【００９０】
警備員は、住宅の敷地内に入ると、ドア装置１４０に自身の社員カードを読み取らせる。ドア装置１４０は、読み取ったＩＤデータと、キーレス認証要求に示されたキーレス許可データとが一致したならば、住宅のドアを解錠制御する。これにより、警備員は、自身の社員カードを鍵として用いて住宅内に入ることができる。警備員は、状況確認や必要な作業を実施する。そして、警備員が確認や作業を完了したならば、警備員は、住宅の敷地内及び住宅内に入る場合と逆の手順で、ドア装置１４０及びゲート装置１３０に自身の社員カードを読み取らせる。このとき、ドア装置１４０で読み取ったＩＤデータとキーレス許可データとが一致した場合に、住宅のドアを施錠制御する。また、ゲート装置１３０で読み取ったＩＤデータとキーレス許可データとが一致した場合に、門を施錠制御し、さらに警備制御装置１２０へ監視モードセット要求を送信する。警備制御装置１２０は、ゲート装置１３０から監視モードセット要求を受信すると、監視モードをセットし、警備センタ１６０に監視モードセット通知を送信する。
【００９１】
次に、警備制御装置１２０の内部構成について説明する。図１０は、図９に示した警備制御装置１２０の内部構成を示すブロック図である。図１０に示すように、警備制御装置１２０は、通信部１２１と、制御部１２２と、記憶部１２３とを有する。
【００９２】
通信部１２１は、ゲート装置１３０、ドア装置１４０、センサ１５０及び警備センタ１６０との間のデータ通信を行うためのインタフェース部である。記憶部１２３は、ハードディスク装置や不揮発性メモリ等からなる記憶デバイスである。記憶部１２３は、警報履歴データ１２３ａ及びキーレス許可データ１２３ｂの格納に用いられる。
【００９３】
警報履歴データ１２３ａは、警備制御装置１２０が発した警報の履歴を示すデータである。キーレス許可データ１２３ｂは、警備センタ１６０から受信したキーレス認証要求に示されたＩＤデータである。
【００９４】
制御部１２２は、警備制御装置１２０を全体制御する制御部であり、モード制御部１２２ａ、警報処理部１２２ｂ及びキーレス認証要求処理部１２２ｃを有する。モード制御部１２２ａは、警備制御装置１２０の動作モードを切り替える制御部である。
【００９５】
具体的には、モード制御部１２２ａは、住宅に対する監視を行う監視モードのセットと解除とを行う。監視モードのセットと解除は、住宅の居住者が所定の操作により行うことが可能である。また、モード制御部１２２ａは、ゲート装置１３０やドア装置１４０から監視モード解除要求を受信した場合には、監視モードを解除し、警備センタ１６０へ監視モード解除通知を送信する。そして、ゲート装置１３０やドア装置１４０から監視モードセット要求を受信した場合には、監視モードをセットし、警備センタ１６０へ監視モードセット通知を送信する。
【００９６】
警報処理部１２２ｂは、監視モードにセットされた状態で、ゲート装置１３０により門の開閉を検知した場合、ドア装置１４０によりドアの開閉を検知した場合、若しくはセンサ１５０により窓等の開閉や振動などを検知した場合には、警備センタ１６０に対して異常通知を送信する。具体的には、警報処理部１２２ｂは、警告音の出力と、所定の連絡先への通知と、警備センタ１６０への異常通知の送信とを行う。また、警報処理部１２２ｂは、警報を発した際には、その内容を警報履歴データ１２３ａに追加する。
【００９７】
なお、警報処理部１２２ｂは、監視モードが解除された状態では、門やドアの開閉を検知したり、窓等の開閉や振動などを検知しても、警報を発さない。このため、例えば派遣された警備員が住宅に到着し、監視モードを解除すれば、確認などを行ったとしても警報が発せられることはない。
【００９８】
警報処理部１２２ｂが警備センタ１６０に対して送信する異常通知には、住宅を特定する情報と、異常の内容を示す情報とを含む。
【００９９】
キーレス認証要求処理部１２２ｃは、警備センタ１６０からキーレス認証要求を受信すると、キーレス認証要求に示されたキーレス許可データ１２３ｂを記憶部１２３に格納する。そして、キーレス認証要求処理部１２２ｃは、キーレス許可データ１２３ｂを含むキーレス認証要求をゲート装置１３０及びドア装置１４０に送信する。
【０１００】
また、キーレス認証要求処理部１２２ｃは、警備センタ１６０からキーレス許可データの削除要求を受信した場合には、記憶部１２３のキーレス許可データ１２３ｂを削除し、キーレス許可データの削除要求をゲート装置１３０及びドア装置１４０に送信する。
【０１０１】
ゲート装置１３０及びドア装置１４０の構成及び動作については、実施例１に示したゲート装置３０と同様であるので、その説明を省略する。また、警備センタ１６０の構成及び動作については、実施例１に示した警備センタ６０と同様であるので、その説明を省略する。
【０１０２】
なお、モード制御部１２２ａへ監視モード解除要求及び監視モードセット要求を送信する機能については、実際の住宅において、敷地内に入るために門を解錠する必要があればゲート装置１３０に当該機能を備え、門が存在しない等で門を解錠する必要がなければ、ドア装置１４０に当該機能を備えるのが好適である。
【０１０３】
上述してきたように、本実施例２に係る警備システムでは、住宅で異常を検知した場合には、派遣される警備員のＩＤデータを含むキーレス認証要求を警備制御装置１２０に送信する。そして、このキーレス認証要求に示されたＩＤデータと、警備員の社員カードから読み取ったＩＤデータとを比較して、住宅の監視モード解除、ゲート装置１３０の解錠制御、ドア装置１４０の解錠制御を行う。したがって、警備員は、住宅の鍵を預かることなく、内部の確認を行うことができる。また、特定の警備員に限定して住宅の監視モードの解除を許可するので、住宅のセキュリティを確保することができる。
【０１０４】
なお、上記実施例１では、説明を簡明にするため、警備対象区域５０に設けたセンサ出力のみを異常検知に用いる構成を例示したが、窓や出入口に設けた侵入検知用のセンサや、火災検知用のセンサを異常検知に使用する構成としてもよい。同様に、実施例２においても火災検知用のセンサ等の任意のセンサを設けた構成とすることができる。このように検知可能な異常の種類が複数に亘る場合には、警備センタ６０に対して異常発生を通知する際に、その異常の種類を含めて通知を行うことが好適である。
【０１０５】
また、上記実施例１及び２では、監視モードのセットと解除にて動作を変更する構成について説明を行ったが、警備員が派遣された時に使用する作業用の動作モードなど、必要に応じて複数の動作モードを選択できる構成としてもよい。
【０１０６】
また、上記実施例１及び２では、警備制御装置２０、１２０が監視モードに応じて警備センタ６０、１６０への通知を行うか否かを判定し、警備センタ６０、１６０では、通知を受けた場合に警備員を派遣することとしているが、警備センタが警備制御装置から各種情報を受信し、警備員の派遣の要否を判定する構成であってもよい。
【０１０７】
また、上記実施例１において、ゲート装置３０と鍵管理装置４０の解錠順序を制限してもよい。すなわち、ゲート装置３０が解錠済であることを鍵管理装置４０の解錠条件としてもよい。同様に、上記実施例２において、ゲート装置１３０が解錠済であることをドア装置１４０の解錠条件としてもよい。
【０１０８】
また、上記実施例１では、施設１０全体の監視モードを一括して制御する構成を例に説明を行ったが、施設１０の区域毎に監視モードを制御する構成としてもよい。具体的には、鍵管理装置４０を共用の区域である共用部に設けておき、ゲート装置３０を共用部への出入口に設け、ゲート装置３０ではまず共用部の監視モードを解除する。その後、鍵管理装置４０からの鍵持ち出しに連動して対応する警備対象区域５０の監視モードを解除する。なお、各区域に対する監視状態は、所定の条件によって連動させてもよい。
【０１０９】
また、上記実施例１では、警備制御装置２０が施設１０全体の監視モードをセット又は解除する構成を例示したが、複数の警備対象区域５０の監視モードを個別にセット又は解除する構成とし、さらにキーレス認証要求に、監視モードの解除を許可する警備対象区域５０を特定するデータを含めるよう構成してもよい。このような構成では、複数の警備対象区域５０のいずれかで異常を検知した場合、派遣された警備員が異常箇所の状況確認や作業を行うために、監視モードの解除を許可する警備対象区域５０を最小限にすることができ、施設１０のセキュリティの向上が実現できる。
【０１１０】
また、上記実施例１では、キーレス認証要求に示されたＩＤデータをゲート装置３０及び鍵管理装置４０に通知し、ゲート装置３０及び鍵管理装置４０がそれぞれキーレス認証要求に示されたＩＤデータと、警備員の社員カードから読み取ったＩＤデータとを認証する構成を例示したが、キーレス認証要求に示されたＩＤデータと、警備員の社員カードから読み取ったＩＤデータとの比較は、警備制御装置２０において行ってもよい。
【０１１１】
この場合、警備制御装置２０は、警備センタ６０から受信したキーレス認証要求に示されたＩＤデータを自装置に格納する一方、キーレス認証要求をゲート装置３０及び鍵管理装置４０には送信しない。ゲート装置３０は、警備員の社員カードから読み取ったＩＤデータを警備制御装置２０に送信し、警備制御装置２０においてゲート装置３０から受信したＩＤデータとキーレス認証要求に示されたＩＤデータを比較する。警備制御装置２０は、ＩＤデータが一致したならば、ゲート装置３０に解錠要求または施錠要求を送信し、ゲート装置３０は、警備制御装置２０から解錠要求または施錠要求を受信した場合に施設１０の出入口を解錠制御または施錠制御することとなる。同様に、鍵管理装置４０は、警備員の社員カードから読み取ったＩＤデータを警備制御装置２０に送信し、警備制御装置２０において鍵管理装置４０から受信したＩＤデータとキーレス認証要求に示されたＩＤデータを比較する。警備制御装置２０は、ＩＤデータが一致したならば、鍵管理装置４０に解錠要求を送信し、鍵管理装置４０は、警備制御装置２０から解錠要求を受信した場合に外扉ロック機構４２ａを解錠制御することとなる。
【０１１２】
また、上記実施例１では、警備対象区域５０に異常を検知するセンサを設ける構成を例に説明を行ったが、障害監視を行う必要がある自動取引装置などの機器に異常を検知するセンサを設けてもよい。この場合には、その機器の障害復旧などの作業に必要な鍵を、鍵管理装置４０に保管することとなる。また、機器の障害の内容によって、警備制御装置２０が警備センタ６０に対して送信する異常通知の内容を変えてもよい。また、その機器の障害の内容によって、作業に必要な鍵が異なる場合は、それぞれの鍵を鍵管理装置４０の別々の鍵収納部４４に保管し、障害に対応する鍵だけを取り出せることとしてもよい。
【０１１３】
また、上記実施例１及び２において、派遣された警備員とは別の警備員を応援として派遣可能としてもよい。応援として警備員を追加派遣する場合には、警備センタ６０及び警備センタ１６０は、警備制御装置２０及び警備制御装置１２０に対し、追加派遣する警備員が携帯する社員カードのＩＤデータを含むキーレス認証要求を送信する。警備制御装置２０及び警備制御装置１２０は、このキーレス認証要求に含まれるＩＤデータを格納し、必要に応じてこのキーレス認証要求を他の装置にも送信する。したがって、追加派遣された警備員も、自身の社員カードを鍵として用いることが可能となる。
【０１１４】
また、上記実施例１及び２では、キーレス認証要求に示されたＩＤデータは、作業が完了するまで有効としたが、その有効期限を時間により管理してもよい。この場合には、警備センタ６０及び警備センタ１６０は、キーレス認証要求に有効期限をさらに追加して警備制御装置２０及び警備制御装置１２０に送信する。警備制御装置２０及び警備制御装置１２０、並びに警備制御装置２０及び警備制御装置１２０からキーレス認証要求を受信した各装置は、キーレス認証要求に示されたＩＤデータをその有効期限とともに管理し、有効期限が切れた時点で消去する。
【産業上の利用可能性】
【０１１５】
以上のように、本発明に係る警備システム及び警備方法は、警備対象の施設のセキュリティを確保しつつ、派遣された警備員による作業を迅速化することに適している。
【符号の説明】
【０１１６】
１０  施設
２０、１２０  警備制御装置
２１、３３、４５、６１、１２１  通信部
２２、３４，４６、６２、１２２  制御部
２２ａ、１２２ａ  モード制御部
２２ｂ、１２２ｂ  警報処理部
２２ｃ、１２２ｃ  キーレス認証要求処理部
２３、３５、４７、６３、１２３  記憶部
２３ａ、１２３ａ  警報履歴データ
２３ｂ、１２３ｂ  キーレス許可データ
３０、１３０  ゲート装置
３１、４１  カードリーダ
３２  ゲートロック機構
３４ａ、４６ａ  認証処理部
３４ｂ、４６ｂ  ロック制御部
４０  鍵管理装置
４１  カードリーダ
４２  外扉
４２ａ  外扉ロック機構
４３  内扉
４３ａ  内扉ロック機構
４４  鍵収納部
５０  警備対象区域
６０、１６０  警備センタ
６２ａ  警報受付部
６２ｂ  派遣要請部
６２ｃ  キーレス認証要求部
６３ａ  警備管理データ
７０  警備事務所
１４０  ドア装置
１５０  センサ
【図１】
2015052959.tif 000003
【図２】
2015052959.tif 000004
【図３】
2015052959.tif 000005
【図４】
2015052959.tif 000006
【図５】
2015052959.tif 000007
【図６】
2015052959.tif 000008
【図７】
2015052959.tif 000009
【図８】
2015052959.tif 000010
【図９】
2015052959.tif 000011
【図１０】
2015052959.tif 000012